(57)【要約】【課題】輝度低下を抑制する。【解決手段】液晶パネル１１は、一対の基板１１Ａ，１１Ｂと、互いに隣り合う複数の第１画素部ＰＸ１と同等の階調で第１画素部ＰＸ１よりも明るい表示となる第２画素部ＰＸ２とを少なくとも含む複数の画素部ＰＸと、隣り合う画素部ＰＸの間を仕切るよう配される画素間遮光部２４と、複数の第１画素部ＰＸ１に含まれる特定の第１画素部ＰＸ１に隣り合うよう画素間遮光部２４と重畳配置されていて一対の基板１１Ａ，１１Ｂの間に介在することで一対の基板１１Ａ，１１Ｂの間の間隔を保持するスペーサ３４と、画素間遮光部２４に設けられて複数の第１画素部ＰＸ１の内側に拡張するようそれぞれ配される複数の拡張遮光部３６と、を備える。【選択図】図３
2019191404.tif 000002
【特許請求の範囲】
【請求項１】
一対の基板と、
前記一対の基板の板面内において行列状に並ぶ複数の画素部であって、互いに隣り合う複数の第１画素部と、前記第１画素部とは異なる色を呈していて同等の階調で前記第１画素部よりも明るい表示となる第２画素部と、を少なくとも含む複数の画素部と、
前記一対の基板の少なくとも一方に設けられて隣り合う前記画素部の間を仕切るよう配される画素間遮光部と、
前記複数の第１画素部に含まれる特定の前記第１画素部に隣り合うよう前記画素間遮光部と重畳配置されていて前記一対の基板の間に介在することで前記一対の基板の間の間隔を保持するスペーサと、
前記画素間遮光部に設けられて前記複数の第１画素部の内側に拡張するようそれぞれ配される複数の拡張遮光部と、を備える表示パネル。
【請求項２】
前記複数の第１画素部には、行方向及び列方向について隣り合うよう配される少なくとも４つが含まれており、
前記拡張遮光部は、前記画素間遮光部のうちの前記行方向及び前記列方向について隣り合う４つの前記第１画素部の間を仕切る交差部に連なるとともに前記４つの第１画素部の内側に拡張するようそれぞれ設けられている請求項１記載の表示パネル。
【請求項３】
前記スペーサは、前記交差部の中心と重畳するよう配されており、
前記複数の第１画素部は、複数の角部を有する平面形状とされており、
前記拡張遮光部は、前記４つの第１画素部が有する複数ずつの前記角部のうちの前記交差部の中心に最も近い前記角部に選択的に連なるようそれぞれ配されている請求項２記載の表示パネル。
【請求項４】
前記４つの第１画素部に配される４つの前記拡張遮光部は、互いに面積が等しい請求項３記載の表示パネル。
【請求項５】
前記複数の画素部は、前記行方向について前記４つの第１画素部と前記第２画素部とが交互に繰り返し並ぶとともに、前記列方向について前記４つの第１画素部及び前記第２画素部がそれぞれ繰り返し並ぶよう配列されており、
前記４つの第１画素部に配される４つの前記拡張遮光部は、前記行方向及び前記列方向について格子状に並んで配されている請求項３または請求項４記載の表示パネル。
【請求項６】
前記複数の画素部は、前記行方向について前記４つの第１画素部と前記第２画素部とが交互に繰り返し並ぶとともに、前記列方向について前記４つの第１画素部及び前記第２画素部がそれぞれ繰り返し並ぶよう配列されており、
前記４つの第１画素部に配される４つの前記拡張遮光部は、前記行方向及び前記列方向について千鳥状に並んで配されている請求項３または請求項４記載の表示パネル。
【請求項７】
前記複数の第１画素部に含まれていて前記スペーサに隣り合う前記第１画素部とは異なる特定の前記第１画素部に隣り合うよう前記画素間遮光部と重畳配置されていて前記一対の基板のうちの一方の基板に設けられて他方の基板との間にクリアランスを有するよう配されるサブスペーサを備える請求項１から請求項６のいずれか１項に記載の表示パネル。
【請求項８】
前記複数の拡張遮光部には、前記スペーサに隣り合う前記第１画素部の内側に拡張するよう配される第１拡張遮光部と、前記サブスペーサに隣り合う前記第１画素部の内側に拡張するよう配される第２拡張遮光部と、が少なくとも含まれており、
前記第２拡張遮光部は、前記第１拡張遮光部よりも面積が小さい請求項７記載の表示パネル。
【請求項９】
複数の前記第１画素部には、異なる色を呈するものが含まれる請求項１から請求項８のいずれか１項に記載の表示パネル。
【請求項１０】
前記第１画素部は、前記第２画素部に比べると、比視感度の低い波長の光を選択的に透過する低比視感度画素部とされ、前記第２画素部は、前記第１画素部に比べると、比視感度の高い波長の光を選択的に透過する高比視感度画素部とされる請求項１から請求項９のいずれか１項に記載の表示パネル。
【請求項１１】
前記低比視感度画素部には、赤色に属する波長領域の赤色光を選択的に透過する赤色画素部と、青色に属する波長領域の青色光を選択的に透過する青色画素部と、が含まれ、前記高比視感度画素部には、緑色に属する波長領域の緑色光を選択的に透過する緑色画素部が少なくとも含まれている請求項１０記載の表示パネル。
【請求項１２】
前記第１画素部は、透過光量が少ない少透過光画素部とされ、前記第２画素部は、透過光量が多い多透過光画素部とされる請求項１から請求項９のいずれか１項に記載の表示パネル。
【請求項１３】
前記少透過光画素部には、赤色に属する波長領域の赤色光を選択的に透過する赤色画素部と、青色に属する波長領域の青色光を選択的に透過する青色画素部と、が含まれ、前記多透過光画素部には、特定の色味を呈さず全可視光を透過する透明画素部が少なくとも含まれている請求項１２記載の表示パネル。
【請求項１４】
前記スペーサは、前記一対の基板のうちの一方の基板に設けられて他方の基板側に向けて突出しており、
前記他方の基板には、前記一方の基板側に向けて突出して前記スペーサに当接されるスペーサ当接部が設けられている請求項１から請求項１３のいずれか１項に記載の表示パネル。
【発明の詳細な説明】
【技術分野】
【０００１】
本発明は、表示パネルに関する。
【背景技術】
【０００２】
従来の液晶表示装置の一例として下記特許文献１に記載されたものが知られている。特許文献１に記載された液晶表示装置は、互いに向き合う第１基板及び第２基板のうちのいずれか１つに配置され、複数の画素領域に形成されており、一定の平面形態を有する複数の拡張部を有する遮光部材と、第１基板又は第２基板上に配置されており、第１基板及び第２基板のうちの、対向する基板に形成されている複数の薄膜の上部表面と接触する複数の第１スペーサとを含み、遮光部材の前記複数の拡張部は、複数の第１拡張部と複数の第２拡張部とを含み、第１拡張部は、第１スペーサと重なり、第２拡張部は、第１スペーサと重ならない。
【先行技術文献】
【特許文献】
【０００３】
【特許文献１】特開２０１４−２３８５号公報
【発明の概要】
【発明が解決しようとする課題】
【０００４】
上記した特許文献１に記載された液晶表示装置によれば、スペーサが形成されている画素と、スペーサが形成されていない画素との間の開口率の差を低減し、ムラなどの表示品質の低下を防止しながら、一定のセル間隔を維持できる。しかしながら、上記した特許文献１では、遮光部材に備わる各拡張部は、ジグザグ状に一定の間隔を空けて平面配置されていて画素が呈する色との関係はランダムになっている。このため、比較的明るい画素に各拡張部が配置されると、輝度低下を招くおそれがある。
【０００５】
本発明は上記のような事情に基づいて完成されたものであって、輝度低下を抑制することを目的とする。
【課題を解決するための手段】
【０００６】
本発明の表示パネルは、一対の基板と、前記一対の基板の板面内において行列状に並ぶ複数の画素部であって、互いに隣り合う複数の第１画素部と、前記第１画素部とは異なる色を呈していて同等の階調で前記第１画素部よりも明るい表示となる第２画素部と、を少なくとも含む複数の画素部と、前記一対の基板の少なくとも一方に設けられて隣り合う前記画素部の間を仕切るよう配される画素間遮光部と、前記複数の第１画素部に含まれる特定の前記第１画素部に隣り合うよう前記画素間遮光部と重畳配置されていて前記一対の基板の間に介在することで前記一対の基板の間の間隔を保持するスペーサと、前記画素間遮光部に設けられて前記複数の第１画素部の内側に拡張するようそれぞれ配される複数の拡張遮光部と、を備える。
【０００７】
このようにすれば、一対の基板の板面内において行列状に並ぶ複数の画素部によりそれぞれ所定の階調での表示が行われることで、所定の画像が表示される。隣り合う画素部の間は、画素間遮光部により仕切られることで、個々の画素部の表示階調が適正に保たれる。一対の基板は、間に介在するスペーサによって間隔の保持が図られている。このスペーサは、複数の第１画素部に含まれる特定の第１画素部に隣り合うよう配置されている。スペーサは、一対の基板間に介在するため、いずれかの基板の表面に対して擦れる場合があり、そのときに生じる削り滓によって輝点欠陥が視認されることが懸念される。スペーサは、画素間遮光部と重畳配置されるものの、削り滓に起因する輝点欠陥がスペーサに隣り合う第１画素部にて視認されるおそれがある。これに対し、画素間遮光部には、複数の第１画素部の内側に拡張するようそれぞれ配される複数の拡張遮光部が設けられているから、スペーサに隣り合う第１画素部において輝点欠陥が視認され難くなるのに加えて、スペーサに隣り合う第１画素部とスペーサとは隣り合わない第１画素部との間に生じ得る開口率の差が緩和される。しかも、拡張遮光部は、複数の第１画素部には配置されるものの、同等の階調で第１画素部よりも明るい表示となる第２画素部には非配置とされているので、第２画素部の開口率を第１画素部の開口率よりも高く保つことができる。これにより、拡張遮光部を設置するのに伴う輝度低下が抑制される。
【発明の効果】
【０００８】
本発明によれば、輝度低下を抑制することができる。
【図面の簡単な説明】
【０００９】
【図１】本発明の実施形態１に係る液晶表示装置を構成する液晶パネルとフレキシブル基板と制御回路基板との接続構成を示す概略平面図
【図２】液晶パネルを構成するアレイ基板における画素配列を示す平面図
【図３】液晶パネルを構成するＣＦ基板における画素配列を示す平面図
【図４】アレイ基板におけるＴＦＴ付近を拡大した平面図
【図５】液晶パネルにおける図４のＡ−Ａ線断面図
【図６】本発明の実施形態２に係る液晶パネルを構成するＣＦ基板における画素配列を示す平面図
【図７】本発明の実施形態３に係る液晶パネルの断面図
【図８】本発明の実施形態４に係る液晶パネルを構成するＣＦ基板における画素配列を示す平面図
【発明を実施するための形態】
【００１０】
＜実施形態１＞
本発明の実施形態１を図１から図５によって説明する。本実施形態では、液晶表示装置１０に備わる液晶パネル（表示パネル）１１について例示する。なお、各図面の一部にはＸ軸、Ｙ軸及びＺ軸を示しており、各軸方向が各図面で示した方向となるように描かれている。また、図５の上側を表側とし、下側を裏側とする。
【００１１】
図１は、液晶表示装置１０を構成する液晶パネル１１とフレキシブル基板１４と制御回路基板１３との接続構成を示す概略平面図である。液晶表示装置１０は、図１に示すように、画像を表示可能な液晶パネル１１と、液晶パネル１１を駆動するドライバ（パネル駆動部、駆動回路部）１２と、ドライバ１２に対して各種入力信号を外部から供給する制御回路基板（外部の信号供給源）１３と、液晶パネル１１と制御回路基板１３とを電気的に接続するフレキシブル基板（外部接続部品）１４と、液晶パネル１１に対して裏側に配されて液晶パネル１１に表示のための光を照射する外部光源であるバックライト装置（図示せず）と、を有する。ドライバ１２及びフレキシブル基板１４は、液晶パネル１１に対してＡＣＦ（Anisotropic Conductive Film）を介して実装されている。
【００１２】
液晶パネル１１は、図１に示すように、全体として縦長な方形状（矩形状）をなしている。液晶パネル１１の板面のうち、中央側には、画像を表示可能な表示領域（アクティブエリア）ＡＡが配される。液晶パネル１１の板面のうち、表示領域ＡＡを取り囲む形で外周側には、平面に視て枠状（額縁状）をなす非表示領域（ノンアクティブエリア）ＮＡＡが配される。液晶パネル１１における短辺方向が各図面のＸ軸方向と一致し、長辺方向が各図面のＹ軸方向と一致し、さらには板厚方向がＺ軸方向と一致している。なお、図１では、一点鎖線が表示領域ＡＡの外形を表しており、当該一点鎖線よりも外側の領域が非表示領域ＮＡＡとなっている。液晶パネル１１は、ガラス製の一対の基板１１Ａ，１１Ｂを少なくとも有しており、そのうち表側（正面側）がＣＦ基板（一方の基板、対向基板）１１Ａとされ、裏側（背面側）がアレイ基板（他方の基板、薄膜トランジスタ基板）１１Ｂとされる。なお、両基板１１Ａ，１１Ｂの外面側には、それぞれ図示しない偏光板が貼り付けられている。
【００１３】
アレイ基板１１Ｂの構成について図２を参照しつつ説明する。図２は、アレイ基板１１Ｂにおける画素配列を示す平面図である。アレイ基板１１Ｂの表示領域ＡＡにおける内面側には、図２に示すように、スイッチング素子であるＴＦＴ（薄膜トランジスタ）１６及び画素電極１７が多数個ずつＸ軸方向（行方向）及びＹ軸方向（列方向）についてマトリクス状（行列状）に並んで設けられる。ＴＦＴ１６及び画素電極１７の周りには、格子状をなすゲート配線（走査配線）１８及びソース配線（信号配線、データ線）１９が取り囲むようにして多数本ずつ配設されている。ゲート配線１８は、Ｘ軸方向に沿って直線状に延在するのに対し、ソース配線１９は、概ねＹ軸方向に沿ってジグザグ状に延在している。ＴＦＴ１６は、ゲート配線１８に接続されるゲート電極１６Ａと、ソース配線１９に接続されるソース電極１６Ｂと、後述するドレイン配線２２を介して画素電極１７に接続されるドレイン電極１６Ｃと、ソース電極１６Ｂ及びドレイン電極１６Ｃに接続されるチャネル部１６Ｄと、を有する。そして、ＴＦＴ１６は、ゲート配線１８に供給される走査信号に基づいて駆動される。すると、ソース配線１９に供給される画像信号に係る電位がチャネル部１６Ｄを介してドレイン電極１６Ｃに供給され、もって画素電極１７が画像信号に係る電位に充電される。
【００１４】
画素電極１７は、図２に示すように、一対ずつのゲート配線１８及びソース配線１９により囲まれた縦長の概ね方形の領域に配されており、その長辺部分がソース配線１９に並行してジグザグ状をなしている。画素電極１７には、自身の長辺部分に沿って延在する複数（図２では４本）のスリット１７Ａが開口形成されている。アレイ基板１１Ｂの表示領域ＡＡの内面側には、画素電極１７と重畳する形で概ねベタ状の共通電極２０が形成されている。互いに重畳する画素電極１７と共通電極２０との間に電位差が生じると、後述する液晶層１１Ｃには、アレイ基板１１Ｂの板面に沿う成分に加えて、アレイ基板１１Ｂの板面に対する法線方向の成分を含むフリンジ電界（斜め電界）がスリット１７Ａ付近に印加される。つまり、本実施形態に係る液晶パネル１１は、動作モードがＦＦＳ（Fringe Field Switching）モードとされる。さらには、画素電極１７をＹ軸方向について両側から挟み込む一対のゲート配線１８の間となる位置には、複数ずつの画素電極１７及びソース配線１９を横切る形でゲート配線１８に並行する容量配線２１が設けられている。容量配線２１は、画素電極１７及びソース配線１９とは異なる層に配されるとともに画素電極１７の一部と重畳しており、画素電極１７との間で静電容量を形成している。この容量配線２１により、ＴＦＴ１６の駆動に伴って充電された画素電極１７の電位を一定期間保持することが可能とされる。容量配線２１は、ゲート配線１８と同層に配されている。好ましくは、容量配線２１は、共通電極２０と同電位とされるが、必ずしもその限りではない。
【００１５】
ＣＦ基板１１Ａの構成について図３を参照しつつ説明する。図３は、ＣＦ基板１１Ａにおける画素配列を示す平面図である。ＣＦ基板１１Ａの表示領域ＡＡにおける内面側には、図３に示すように、アレイ基板１１Ｂ側の各画素電極１７と対向状をなす位置にカラーフィルタ２３が設けられている。カラーフィルタ２３は、互いに異なる色を呈するものがＸ軸方向（行方向）に沿って繰り返し多数並ぶとともに、それらがＹ軸方向（列方向）に沿って延在することで、全体として略ストライプ状に配列されている。カラーフィルタ２３は、Ｙ軸方向に沿って並ぶ各画素電極１７（ソース配線１９）の平面形状に倣って概ねＹ軸方向に沿ってジグザグ状に延在している。カラーフィルタ２３には、赤色を呈していて赤色の波長領域に属する赤色光を選択的に透過する赤色カラーフィルタ２３Ｒと、青色を呈していて青色の波長領域に属する青色光を選択的に透過する青色カラーフィルタ２３Ｂと、緑色を呈していて緑色の波長領域に属する緑色光を選択的に透過する緑色カラーフィルタ２３Ｇと、の三色が含まれている。カラーフィルタ２３は、赤色カラーフィルタ２３Ｒ、青色カラーフィルタ２３Ｂ及び緑色カラーフィルタ２３Ｇの順でＸ軸方向について繰り返し並んで配された構成となっている。カラーフィルタ２３は、アレイ基板１１Ｂ側の各画素電極１７（図２を参照）と平面に視て重畳する配置とされており、各画素電極１７と共に画素部ＰＸを構成している。画素部ＰＸは、液晶パネル１１の板面内においてＸ軸方向及びＹ軸方向について多数個ずつがマトリクス状に並んで配されている。画素部ＰＸには、赤色を呈していて赤色の波長領域に属する赤色光を選択的に透過する赤色画素部ＲＰＸと、青色を呈していて青色の波長領域に属する青色光を選択的に透過する青色画素部ＢＰＸと、緑色を呈していて緑色の波長領域に属する緑色光を選択的に透過する緑色画素部ＧＰＸと、の三色が含まれる。従って、この液晶パネル１１においては、Ｘ軸方向に沿って隣り合う三色の画素部ＲＰＸ，ＢＰＸ，ＧＰＸによって所定の階調のカラー表示を可能な表示画素が構成されている。三色の各画素部ＲＰＸ，ＢＰＸ，ＧＰＸのうち、赤色画素部ＲＰＸ及び青色画素部ＢＰＸは、緑色画素部ＧＰＸに比べると、比視感度が低い赤色光及び青色光をそれぞれ選択的に透過することから、同等の階調であっても暗い表示となる第１画素部ＰＸ１に分類される。一方、緑色画素部ＧＰＸは、赤色画素部ＲＰＸ及び青色画素部ＢＰＸに比べると、比視感度が最も高い緑色光を選択的に透過することから同等の階調であっても最も明るい表示となる第２画素部ＰＸ２に分類される。第１画素部ＰＸ１は、第２画素部ＰＸ２に比べると、比視感度の低い波長の光を選択的に透過する「低比視感度画素部」である、と言える。第２画素部ＰＸ２は、第１画素部ＰＸ１に比べると、比視感度の高い波長の光を選択的に透過する「高比視感度画素部」である、と言える。
【００１６】
ＣＦ基板１１Ａの表示領域ＡＡにおける内面側には、図３に示すように、Ｘ軸方向及びＹ軸方向について隣り合う画素部ＰＸの間を仕切る画素間遮光部（ブラックマトリクス）２４が設けられている。画素間遮光部２４は、全体として平面に視て格子状をなしており、Ｘ軸方向に沿って延在する部分がＹ軸方向について隣り合う画素部ＰＸの間を仕切るのに対し、Ｙ軸方向に沿って延在する部分がＸ軸方向について隣り合う画素部ＰＸの間を仕切っている。画素間遮光部２４は、Ｘ軸方向及びＹ軸方向に沿って２つずつ並ぶ合計４つの画素部ＰＸに着目したとき、これら４つの画素部ＰＸの間を仕切る十字型の交差部２４ＡをＸ軸方向及びＹ軸方向について多数個ずつ連ねた構成である、と言える。この画素間遮光部２４によってＸ軸方向及びＹ軸方向について隣り合う画素部ＰＸの間で光が行き来する事態が生じ難くなるから、各画素部ＰＸにおける表示階調の独立性を担保することができる。また、カラーフィルタ２３の内面側（上層側）には、オーバーコート膜（平坦化膜）１５が積層形成されている。
【００１７】
ＴＦＴ１６について図４を参照しつつ詳しく説明する。ＴＦＴ１６は、図４に示すように、接続対象とされる画素電極１７に対してＹ軸方向について図４に示す下側に隣り合う配置とされる。ＴＦＴ１６を構成するゲート電極１６Ａは、ゲート配線１８から分岐されており、ゲート配線１８からＹ軸方向に沿って画素電極１７側に突出している。ＴＦＴ１６を構成するソース電極１６Ｂは、ソース配線１９から分岐されており、ソース配線１９からＸ軸方向に沿ってゲート電極１６Ａ側に突出するとともにその突出先端部がゲート電極１６Ａと重畳している。ＴＦＴ１６を構成するドレイン電極１６Ｃは、ソース電極１６Ｂに対してＸ軸方向について間隔を空けて配されるとともにその一部がゲート電極１６Ａと重畳している。ドレイン電極１６Ｃは、ソース電極１６Ｂと同層に配されている。ドレイン電極１６Ｃには、次述するドレイン配線（画素電極接続配線）２２の一端側が接続されている。ＴＦＴ１６を構成するチャネル部１６Ｄは、後述するゲート絶縁膜２６を介してゲート電極１６Ａと重畳するとともに、ソース電極１６Ｂ及びドレイン電極１６Ｃにそれぞれ接続されている。チャネル部１６Ｄは、ゲート電極１６Ａを横切りつつＸ軸方向に沿って延在し、その一端側がソース電極１６Ｂに、他端側がドレイン電極１６Ｃに、それぞれ接続されている。ドレイン配線２２は、ドレイン電極１６Ｃと同層に配されており、全体として平面に視てＬ字型に屈曲されており、その一端側がドレイン電極１６Ｃに、他端側が画素電極１７に、それぞれ接続されている。
【００１８】
続いて、アレイ基板１１Ｂの内面側に積層形成された各種の膜について図５を参照しつつ説明する。図５は、液晶パネル１１におけるＴＦＴ１６付近を切断した断面図である。アレイ基板１１Ｂには、図５に示すように、下層側から順に第１金属膜（ゲート金属膜）２５、ゲート絶縁膜２６、半導体膜２７、第２金属膜（ソース金属膜）２８、第１層間絶縁膜２９、平坦化膜３０、第１透明電極膜３１、第２層間絶縁膜３２、第２透明電極膜３３が積層形成されている。なお、図５では、第２透明電極膜３３が図示されないため、その符号を図２及び図４に示している。
【００１９】
第１金属膜２５は、異なる種類の金属材料を積層してなる積層膜または１種類の金属材料からなる単層膜とされ、図５に示すように、ゲート配線１８及び容量配線２１やＴＦＴ１６のゲート電極１６Ａや予備配線などを構成する。ゲート絶縁膜２６は、ＳｉＮｘやＳｉＯ２などの無機絶縁材料（無機材料）からなる。半導体膜２７は、材料として例えば酸化物半導体を用いた薄膜からなり、ＴＦＴ１６を構成するチャネル部１６Ｄなどを構成する。第２金属膜２８は、第１金属膜２５と同様に、積層膜または単層膜とされ、ソース配線１９及びドレイン配線２２やＴＦＴ１６のソース電極１６Ｂ及びドレイン電極１６Ｃなどを構成する。第１層間絶縁膜２９は、ゲート絶縁膜２６と同様に無機絶縁材料からなる。平坦化膜３０は、例えばＰＭＭＡ（アクリル樹脂）などの有機絶縁材料（有機材料）からなり、その膜厚が無機樹脂材料からなる他の絶縁膜２６，２９，３２よりも大きい。この平坦化膜３０によりアレイ基板１１Ｂの表面が平坦化される。第１透明電極膜３１は、例えばＩＴＯなどの透明電極材料からなり、共通電極２０を構成する。第２層間絶縁膜３２は、ゲート絶縁膜２６などと同様に無機絶縁材料からなる。第２透明電極膜３３は、第１透明電極膜３１と同様に透明電極材料からなり、画素電極１７を構成する。第１層間絶縁膜２９、平坦化膜３０及び第２層間絶縁膜３２には、第２透明電極膜３３からなる画素電極１７を第２金属膜２８からなるドレイン配線２２に接続するためのコンタクトホールＣＨが開口形成されている。コンタクトホールＣＨは、画素電極１７とドレイン配線２２との双方と平面に視て重畳する位置に配されている。このコンタクトホールＣＨを除いて第１層間絶縁膜２９、平坦化膜３０及び第２層間絶縁膜３２は、少なくとも表示領域ＡＡの全域にわたってベタ状に形成されている。
【００２０】
液晶パネル１１を構成する一対の基板１１Ａ，１１Ｂの間には、図５に示すように、電界印加に伴って光学特性が変化する物質である液晶分子を含む図示しない液晶層１１Ｃが設けられている。さらには、一対の基板１１Ａ，１１Ｂの間には、液晶層１１Ｃの厚み分の間隔（セルギャップ）を保持するためのスペーサ３４及びサブスペーサ３５が介在する形で設けられている。スペーサ３４及びサブスペーサ３５は、樹脂材料からなり、ＣＦ基板１１Ａの表示領域ＡＡにおいてオーバーコート膜１５の表面からアレイ基板１１Ｂ側に向けて液晶層１１Ｃを貫きつつＺ軸方向に沿って突出している。スペーサ３４は、サブスペーサ３５よりもＣＦ基板１１Ａからの突出寸法が大きくされていて、その突出先端面がアレイ基板１１Ｂの表面（内面）に対して当接されている。これに対し、サブスペーサ３５は、スペーサ３４よりもＣＦ基板１１Ａからの突出寸法が小さくされていて、その突出先端面とアレイ基板１１Ｂの表面との間にクリアランスが有されている。従って、一対の基板１１Ａ，１１Ｂは、ＣＦ基板１１Ａに設けられたスペーサ３４がアレイ基板１１Ｂの表面に当接することで、液晶層１１Ｃの厚み分の間隔が保持されている。その一方、一対の基板１１Ａ，１１Ｂのいずれか一方に対して外部から内向きに押圧するような外力が作用した場合には、ＣＦ基板１１Ａに設けられたサブスペーサ３５とアレイ基板１１Ｂの表面との間のクリアランスの分だけ基板１１Ａ，１１Ｂの変形が許容されるものの、サブスペーサ３５がアレイ基板１１Ｂの表面に当接することでそれ以上の基板１１Ａ，１１Ｂの変形が規制される。スペーサ３４及びサブスペーサ３５は、共に平面形状が円形とされており、全体としては円柱状をなしている（図２及び図３を参照）。両基板１１Ａ，１１Ｂにおける液晶層１１Ｃ側の最内面には、液晶層１１Ｃに含まれる液晶分子の配向を規制するための配向膜（図示せず）がそれぞれ設けられている。従って、スペーサ３４及びサブスペーサ３５は、その突出先端面がアレイ基板１１Ｂ側の配向膜に対して当接可能とされる。
【００２１】
ここで、ＣＦ基板１１Ａ及びアレイ基板１１Ｂにおけるスペーサ３４及びサブスペーサ３５の具体的な平面配置について図２及び図３を参照しつつ説明する。スペーサ３４及びサブスペーサ３５は、図２及び図３に示すように、複数の画素部ＰＸに含まれる特定の画素部ＰＸに隣り合うよう画素間遮光部２４と重畳配置されている。具体的には、スペーサ３４及びサブスペーサ３５は、三色の画素部ＲＰＸ，ＢＰＸ，ＧＰＸのうち、同等の階調であっても暗い表示となる第１画素部ＰＸ１である赤色画素部ＲＰＸ及び青色画素部ＢＰＸに対して隣り合うよう選択的に配置されている。つまり、スペーサ３４及びサブスペーサ３５は、Ｘ軸方向について互いに隣り合う配置の赤色画素部ＲＰＸと青色画素部ＢＰＸとの間に介在する配置となっている。一方、スペーサ３４及びサブスペーサ３５は、三色の画素部ＲＰＸ，ＢＰＸ，ＧＰＸのうち、同等の階調であっても明るい表示となる第２画素部ＰＸ２である緑色画素部ＧＰＸとは隣り合うことがないよう配置されている。スペーサ３４及びサブスペーサ３５は、その中心が、画素間遮光部２４のうちのＸ軸方向及びＹ軸方向に隣り合う４つの画素部ＰＸ（２つずつの赤色画素部ＲＰＸ及び青色画素部ＢＰＸ）を仕切る交差部２４Ａにおける交差中心とほぼ一致するよう配されている。スペーサ３４及びサブスペーサ３５は、Ｘ軸方向について間に交差部２４Ａの交差中心が２つ介在するとともに、Ｙ軸方向について間に交差部２４Ａの交差中心が１つ介在するよう、間隔を空けて格子状に配列されている。従って、格子状をなす画素間遮光部２４のうちのＸ軸方向に沿って延在する部分は、スペーサ３４及びサブスペーサ３５が配置される行（スペーサ配置行）と、スペーサ３４及びサブスペーサ３５が非配置とされる行（スペーサ非配置行）と、が交互に並ぶ配列となっている。一方、格子状をなす画素間遮光部２４のうちのＹ軸方向に沿って延在する部分は、赤色画素部ＲＰＸと青色画素部ＢＰＸとに挟み込まれる列がスペーサ３４及びサブスペーサ３５が配置される列（スペーサ配置列）となるのに対し、緑色画素部ＧＰＸを挟み込む２つの列がスペーサ３４及びサブスペーサ３５が非配置とされる列（スペーサ非配置列）となっている。また、スペーサ３４及びサブスペーサ３５は、画素間遮光部２４と共にＴＦＴ１６の近傍に配置されているので、外光に起因して生じ得るＴＦＴ１６のオフリーク電流を抑制することができる。また、スペーサ３４は、サブスペーサ３５に比べると設置数が少なくされている。
【００２２】
ところで、スペーサ３４は、図５に示すように、ＣＦ基板１１Ａに設けられていてその突出先端面がアレイ基板１１Ｂの表面に対して当接されているため、アレイ基板１１Ｂの表面に対して擦れる場合がある。このとき、アレイ基板１１Ｂ側の配向膜が削られることで削り滓が生じ、その削り滓が液晶層１１Ｃ内に浮遊などしていると、削り滓に起因して画素部ＰＸの階調に拘わらず常に光が透過する輝点欠陥が視認されることが懸念される。このスペーサ３４は、画素間遮光部２４と重畳する配置とされるものの、配向膜の削り滓がスペーサ３４の周辺に拡散して画素間遮光部２４とは非重畳の配置になると、輝点欠陥が視認されるおそれがある。この輝点欠陥は、スペーサ３４に隣り合っていて配向膜の削り滓が拡散され易い第１画素部ＰＸ１において視認され易くなっている。また、サブスペーサ３５は、常にはアレイ基板１１Ｂの表面との間にクリアランスを有しているものの、外力が作用するとアレイ基板１１Ｂの表面に当接するため、スペーサ３４ほどではないもののアレイ基板１１Ｂ側の配向膜が削られて削り滓が生じる可能性がある。つまり、サブスペーサ３５に隣り合う第１画素部ＰＸ１においても配向膜の削り滓に起因する輝点欠陥が視認される可能性がある。サブスペーサ３５に起因して生じる配向膜の削り滓は、スペーサ３４に起因して生じる配向膜の削り滓よりも拡散範囲が狭い傾向にある。なお、図３には、スペーサ３４及びサブスペーサ３５に起因して生じる配向膜の削り滓における想定拡散範囲の外形の一部を一点鎖線により図示している。
【００２３】
そこで、本実施形態に係る液晶パネル１１を構成するＣＦ基板１１Ａに備わる画素間遮光部２４には、図３に示すように、特定の画素部ＰＸの内側に拡張するよう配される拡張遮光部３６が設けられている。なお、図３では、拡張遮光部３６の形成範囲を二点鎖線により図示している。拡張遮光部３６は、三色の画素部ＲＰＸ，ＢＰＸ，ＧＰＸのうち、同等の階調であっても暗い表示となる第１画素部ＰＸ１である赤色画素部ＲＰＸ及び青色画素部ＢＰＸに選択的に配置されている。つまり、拡張遮光部３６は、スペーサ３４及びサブスペーサ３５に隣り合う赤色画素部ＲＰＸ及び青色画素部ＢＰＸに選択的に配置されている、と言える。拡張遮光部３６は、スペーサ３４に隣り合う赤色画素部ＲＰＸ及び青色画素部ＢＰＸに配置されているのに加えて、スペーサ３４とは隣り合わないもののサブスペーサ３５とは隣り合う赤色画素部ＲＰＸ及び青色画素部ＢＰＸにも配置されている、と言える。従って、複数の拡張遮光部３６には、スペーサ３４に隣り合う第１画素部ＰＸ１の内側に拡張するよう配される第１拡張遮光部３６Ａと、サブスペーサ３５に隣り合う第１画素部ＰＸ１の内側に拡張するよう配される第２拡張遮光部３６Ｂと、が含まれている、と言える。一方、拡張遮光部３６は、三色の画素部ＲＰＸ，ＢＰＸ，ＧＰＸのうち、同等の階調であっても明るい表示となる第２画素部ＰＸ２である緑色画素部ＧＰＸには非配置とされる。このように、画素間遮光部２４には、複数の第１画素部ＰＸ１の内側に拡張するようそれぞれ配される複数の拡張遮光部３６が設けられているから、スペーサ３４及びサブスペーサ３５に隣り合う第１画素部ＰＸ１である赤色画素部ＲＰＸ及び青色画素部ＢＰＸにおいて配向膜の削り滓に起因する輝点欠陥が視認され難くなる。それに加えて、スペーサ３４に隣り合う第１画素部ＰＸ１と、スペーサ３４とは隣り合わないもののサブスペーサ３５とは隣り合う第１画素部ＰＸ１と、の間に生じ得る開口率の差が緩和される。しかも、拡張遮光部３６は、複数の第１画素部ＰＸ１である赤色画素部ＲＰＸ及び青色画素部ＢＰＸには配置されるものの、第２画素部ＰＸ２である緑色画素部ＧＰＸには非配置とされているので、第２画素部ＰＸ２である緑色画素部ＧＰＸの開口率を第１画素部ＰＸ１である赤色画素部ＲＰＸ及び青色画素部ＢＰＸの開口率よりも高く保つことができる。第２画素部ＰＸ２である緑色画素部ＧＰＸは、比視感度が最も高い緑色光を選択的に透過するものであることから、その開口率が高く保たれることで、拡張遮光部３６を設置するのに伴う輝度低下が好適に抑制される。
【００２４】
拡張遮光部３６の詳しい構成について説明する。拡張遮光部３６は、図３に示すように、画素間遮光部２４のうちのスペーサ３４及びサブスペーサ３５と重畳する交差部２４Ａに連ねられており、交差部２４Ａにより仕切られる４つの第１画素部ＰＸ１（２つずつの赤色画素部ＲＰＸ及び青色画素部ＢＰＸ）の内側に拡張するようそれぞれ設けられている。このように４つの拡張遮光部３６が４つの第１画素部ＰＸ１に分散して配置されるので、仮に拡張遮光部がＸ軸方向またはＹ軸方向について隣り合う２つの第１画素部ＰＸ１の内側に拡張するようそれぞれ設けられる場合に比べると、一定の遮光機能を維持しつつも個々の拡張遮光部３６の面積を小さくすることができる。これにより、拡張遮光部３６が配置される第１画素部ＰＸ１と、拡張遮光部３６が非配置とされる第２画素部ＰＸ２と、に生じる開口率の差が緩和される。同じ交差部２４Ａに連なる４つの拡張遮光部３６は、設置対象となる４つの第１画素部ＰＸ１が有する複数の角部Ｃのうち、交差部２４Ａの中心に最も近い角部Ｃに選択的に連なるようそれぞれ配されている。既述した通り、スペーサ３４及びサブスペーサ３５は、画素間遮光部２４における交差部２４Ａの中心と重畳するよう配されているので、スペーサ３４及びサブスペーサ３５に起因して生じ得る削り滓は、スペーサ３４及びサブスペーサ３５に隣り合う４つずつの第１画素部ＰＸ１が有する複数ずつの角部Ｃのうちの交差部２４Ａの中心に最も近い角部Ｃ付近に多く分布する傾向にある。その点、上記したように拡張遮光部３６が、スペーサ３４に隣り合う４つの第１画素部ＰＸ１における交差部２４Ａの中心に最も近い角部Ｃに選択的に連なるようそれぞれ配されているので、削り滓に起因して生じる輝点欠陥を効率的に視認され難くすることができる。しかも、仮に拡張遮光部が第１画素部ＰＸ１における複数の角部Ｃにそれぞれ連なるよう配される場合に比べると、拡張遮光部３６の設置に伴う第１画素部ＰＸ１の開口率の低下が抑制される。これにより、輝度低下の抑制を図る上でより好適となる。各拡張遮光部３６は、第１画素部ＰＸ１における交差部２４Ａの中心に最も近い角部Ｃを構成する２つの辺を含む概ね三角形の平面形状を有している。なお、各拡張遮光部３６を構成する３つの辺のうち、交差部２４Ａの中心から最も遠い辺は、交差部２４Ａの中心と同心となる円の外形の一部となる円弧状をなしている。同じ交差部２４Ａに連なる４つの拡張遮光部３６は、互いに面積が等しくされている。このようにすれば、スペーサ３４の配置の有無に関わらず、交差部２４Ａにより仕切られる４つの第１画素部ＰＸ１における開口率を等しくすることができる。各拡張遮光部３６は、スペーサ３４及びサブスペーサ３５に起因して生じる配向膜の削り滓における想定拡散範囲と重畳する範囲に設けられている。従って、サブスペーサ３５に隣り合う第１画素部ＰＸ１に配置される第２拡張遮光部３６Ｂは、スペーサ３４に隣り合う第１画素部ＰＸ１に配置される第１拡張遮光部３６Ａよりも面積が小さくされている。既述した通り、サブスペーサ３５に起因して生じる配向膜の削り滓の拡散範囲は、スペーサ３４に起因して生じる配向膜の削り滓の拡散範囲よりも本来的に狭くなっているので、上記のように第２拡張遮光部３６Ｂが第１拡張遮光部３６Ａよりも面積が小さくなっていても、サブスペーサ３５に隣り合う第１画素部ＰＸ１において輝点欠陥が十分に視認され難くなる。しかも、第２拡張遮光部３６Ｂが配置された第１画素部ＰＸ１の開口率が高く保たれるので、輝度低下の抑制がより好適に図られる。
【００２５】
以上説明したように本実施形態の液晶パネル（表示パネル）１１は、一対の基板１１Ａ，１１Ｂと、一対の基板１１Ａ，１１Ｂの板面内において行列状に並ぶ複数の画素部ＰＸであって、互いに隣り合う複数の第１画素部ＰＸ１と、第１画素部ＰＸ１とは異なる色を呈していて同等の階調で第１画素部ＰＸ１よりも明るい表示となる第２画素部ＰＸ２と、を少なくとも含む複数の画素部ＰＸと、一対の基板１１Ａ，１１Ｂの少なくとも一方に設けられて隣り合う画素部ＰＸの間を仕切るよう配される画素間遮光部２４と、複数の第１画素部ＰＸ１に含まれる特定の第１画素部ＰＸ１に隣り合うよう画素間遮光部２４と重畳配置されていて一対の基板１１Ａ，１１Ｂの間に介在することで一対の基板１１Ａ，１１Ｂの間の間隔を保持するスペーサ３４と、画素間遮光部２４に設けられて複数の第１画素部ＰＸ１の内側に拡張するようそれぞれ配される複数の拡張遮光部３６と、を備える。
【００２６】
このようにすれば、一対の基板１１Ａ，１１Ｂの板面内において行列状に並ぶ複数の画素部ＰＸによりそれぞれ所定の階調での表示が行われることで、所定の画像が表示される。隣り合う画素部ＰＸの間は、画素間遮光部２４により仕切られることで、個々の画素部ＰＸの表示階調が適正に保たれる。一対の基板１１Ａ，１１Ｂは、間に介在するスペーサ３４によって間隔の保持が図られている。このスペーサ３４は、複数の第１画素部ＰＸ１に含まれる特定の第１画素部ＰＸ１に隣り合うよう配置されている。スペーサ３４は、一対の基板１１Ａ，１１Ｂ間に介在するため、いずれかの基板の表面に対して擦れる場合があり、そのときに生じる削り滓によって輝点欠陥が視認されることが懸念される。スペーサ３４は、画素間遮光部２４と重畳配置されるものの、削り滓に起因する輝点欠陥がスペーサ３４に隣り合う第１画素部ＰＸ１にて視認されるおそれがある。これに対し、画素間遮光部２４には、複数の第１画素部ＰＸ１の内側に拡張するようそれぞれ配される複数の拡張遮光部３６が設けられているから、スペーサ３４に隣り合う第１画素部ＰＸ１において輝点欠陥が視認され難くなるのに加えて、スペーサ３４に隣り合う第１画素部ＰＸ１とスペーサ３４とは隣り合わない第１画素部ＰＸ１との間に生じ得る開口率の差が緩和される。しかも、拡張遮光部３６は、複数の第１画素部ＰＸ１には配置されるものの、同等の階調で第１画素部ＰＸ１よりも明るい表示となる第２画素部ＰＸ２には非配置とされているので、第２画素部ＰＸ２の開口率を第１画素部ＰＸ１の開口率よりも高く保つことができる。これにより、拡張遮光部３６を設置するのに伴う輝度低下が抑制される。
【００２７】
また、複数の第１画素部ＰＸ１には、行方向及び列方向について隣り合うよう配される少なくとも４つが含まれており、拡張遮光部３６は、画素間遮光部２４のうちの行方向及び列方向について隣り合う４つの第１画素部ＰＸ１の間を仕切る交差部２４Ａに連なるとともに４つの第１画素部ＰＸ１の内側に拡張するようそれぞれ設けられている。このように４つの拡張遮光部３６が４つの第１画素部ＰＸ１に分散して配置されるので、仮に拡張遮光部が行方向または列方向について隣り合う２つの第１画素部ＰＸ１の内側に拡張するようそれぞれ設けられる場合に比べると、一定の遮光機能を維持しつつも個々の拡張遮光部３６の面積を小さくすることができる。これにより、拡張遮光部３６が配置される第１画素部ＰＸ１と、拡張遮光部３６が非配置とされる第２画素部ＰＸ２と、に生じる開口率の差が緩和される。
【００２８】
また、スペーサ３４は、交差部２４Ａの中心と重畳するよう配されており、複数の第１画素部ＰＸ１は、複数の角部Ｃを有する平面形状とされており、拡張遮光部３６は、４つの第１画素部ＰＸ１が有する複数ずつの角部Ｃのうちの交差部２４Ａの中心に最も近い角部Ｃに選択的に連なるようそれぞれ配されている。このようにすれば、スペーサ３４が画素間遮光部２４における交差部２４Ａの中心と重畳するよう配されているので、スペーサ３４に起因して生じ得る削り滓は、スペーサ３４に隣り合う４つの第１画素部ＰＸ１が有する複数ずつの角部Ｃのうちの交差部２４Ａの中心に最も近い角部Ｃ付近に多く分布する傾向にある。その点、拡張遮光部３６は、スペーサ３４に隣り合う４つの第１画素部ＰＸ１における交差部２４Ａの中心に最も近い角部Ｃに選択的に連なるようそれぞれ配されているので、削り滓に起因して生じる輝点欠陥を効率的に視認され難くすることができる。しかも、仮に拡張遮光部が第１画素部ＰＸ１における複数の角部Ｃにそれぞれ連なるよう配される場合に比べると、拡張遮光部３６の設置に伴う第１画素部ＰＸ１の開口率の低下が抑制される。これにより、輝度低下の抑制を図る上でより好適となる。
【００２９】
また、４つの第１画素部ＰＸ１に配される４つの拡張遮光部３６は、互いに面積が等しい。このようにすれば、スペーサ３４の配置の有無に関わらず、行方向及び列方向について隣り合う４つの第１画素部ＰＸ１における開口率を等しくすることができる。
【００３０】
また、複数の画素部ＰＸは、行方向について４つの第１画素部ＰＸ１と第２画素部ＰＸ２とが交互に繰り返し並ぶとともに、列方向について４つの第１画素部ＰＸ１及び第２画素部ＰＸ２がそれぞれ繰り返し並ぶよう配列されており、４つの第１画素部ＰＸ１に配される４つの拡張遮光部３６は、行方向及び列方向について格子状に並んで配されている。このようにすれば、行方向及び列方向について格子状に並んで配される４つずつの拡張遮光部３６によってスペーサ３４の配置に起因する輝点欠陥が視認され難くなる。
【００３１】
また、複数の第１画素部ＰＸ１に含まれていてスペーサ３４に隣り合う第１画素部ＰＸ１とは異なる特定の第１画素部ＰＸ１に隣り合うよう画素間遮光部２４と重畳配置されていて一対の基板１１Ａ，１１ＢのうちのＣＦ基板（一方の基板）１１Ａに設けられてアレイ基板（他方の基板）１１Ｂとの間にクリアランスを有するよう配されるサブスペーサ３５を備える。このようにすれば、一対の基板１１Ａ，１１Ｂの少なくともＣＦ基板１１Ａに外力が作用して変形が生じた場合には、サブスペーサ３５が一対の基板１１Ａ，１１Ｂのうちのアレイ基板１１Ｂに当接されることで、それ以上の変形を抑制することができる。サブスペーサ３５は、一対の基板１１Ａ，１１Ｂに外力が作用していないときは、一対の基板１１Ａ，１１Ｂのうちのアレイ基板１１Ｂとの間にクリアランスを有するよう配されているので、アレイ基板１１Ｂの表面に対して擦れる頻度がスペーサ３４よりも低く、削り滓が生じ難くなっている。従って、サブスペーサ３５に起因する輝点欠陥は、スペーサ３４に起因する輝点欠陥に比べると視認され難い傾向となる。
【００３２】
また、複数の拡張遮光部３６には、スペーサ３４に隣り合う第１画素部ＰＸ１の内側に拡張するよう配される第１拡張遮光部３６Ａと、サブスペーサ３５に隣り合う第１画素部ＰＸ１の内側に拡張するよう配される第２拡張遮光部３６Ｂと、が少なくとも含まれており、第２拡張遮光部３６Ｂは、第１拡張遮光部３６Ａよりも面積が小さい。このようにすれば、第１拡張遮光部３６Ａによりスペーサ３４に隣り合う第１画素部ＰＸ１において輝点欠陥が視認され難くなるとともに、第２拡張遮光部３６Ｂによりサブスペーサ３５に隣り合う第１画素部ＰＸ１において輝点欠陥が視認され難くなる。第２拡張遮光部３６Ｂは、第１拡張遮光部３６Ａよりも面積が小さくても、サブスペーサ３５に起因する輝点欠陥が本来的に視認され難いことから、輝点欠陥を十分に視認され難くすることができる。第２拡張遮光部３６Ｂが第１拡張遮光部３６Ａよりも面積が小さくされることで、第２拡張遮光部３６Ｂが配置された第１画素部ＰＸ１の開口率を高く保つことができ、それにより輝度低下の抑制がより好適に図られる。
【００３３】
また、複数の第１画素部ＰＸ１には、異なる色を呈するものが含まれる。複数の拡張遮光部３６が複数の第１画素部ＰＸ１の内側に拡張するようそれぞれ配されることで、スペーサ３４に隣り合う第１画素部ＰＸ１とスペーサ３４とは隣り合わない第１画素部ＰＸ１との間に生じ得る開口率の差が緩和されている。これにより、異なる色を呈する複数の第１画素部ＰＸ１の間に色ムラが生じ難くなる。
【００３４】
また、第１画素部ＰＸ１は、第２画素部ＰＸ２に比べると、比視感度の低い波長の光を選択的に透過する低比視感度画素部とされ、第２画素部ＰＸ２は、第１画素部ＰＸ１に比べると、比視感度の高い波長の光を選択的に透過する高比視感度画素部とされる。このようにすれば、第２画素部ＰＸ２である高比視感度画素部は、第１画素部ＰＸ１である低比視感度画素部に比べると、比視感度の高い波長の光を選択的に透過するので、低比視感度画素部と同等の階調であっても、低比視感度画素部よりも明るい表示となる。高比視感度画素部は、拡張遮光部３６が非配置とされることで、低比視感度画素部よりも開口率が高く保たれ、それにより拡張遮光部３６の設置に伴う輝度低下を抑制することができる。
【００３５】
また、低比視感度画素部には、赤色に属する波長領域の赤色光を選択的に透過する赤色画素部ＲＰＸと、青色に属する波長領域の青色光を選択的に透過する青色画素部ＢＰＸと、が含まれ、高比視感度画素部には、緑色に属する波長領域の緑色光を選択的に透過する緑色画素部ＧＰＸが少なくとも含まれている。このようにすれば、緑色画素部ＧＰＸは、赤色画素部ＲＰＸ及び青色画素部ＢＰＸに比べると、比視感度が高い緑色に属する波長領域の緑色光を選択的に透過することで、明るい表示となる。緑色画素部ＧＰＸは、拡張遮光部３６が非配置とされることで、赤色画素部ＲＰＸ及び青色画素部ＢＰＸよりも開口率が高く保たれ、それにより拡張遮光部３６の設置に伴う輝度低下を抑制することができる。
【００３６】
＜実施形態２＞
本発明の実施形態２を図６によって説明する。この実施形態２では、スペーサ１３４、サブスペーサ１３５及び拡張遮光部１３６の配置を変更したものを示す。なお、上記した実施形態１と同様の構造、作用及び効果について重複する説明は省略する。
【００３７】
本実施形態に係るスペーサ１３４及びサブスペーサ１３５は、図６に示すように、Ｘ軸方向及びＹ軸方向について千鳥状に並んで配されている。従って、格子状をなす画素間遮光部１２４のうちのＸ軸方向に沿って延在する部分は、いずれもスペーサ１３４及びサブスペーサ１３５が配置される行（スペーサ配置行）となっている。但し、各行におけるスペーサ１３４及びサブスペーサ１３５の分布密度は、上記した実施形態１の半分程度となっている。スペーサ１３４及びサブスペーサ１３５が上記のような配置とされるのに伴い、画素間遮光部１２４において４つの第１画素部ＰＸ１を仕切る交差部１２４Ａに連なる４つの拡張遮光部１３６は、Ｘ軸方向及びＹ軸方向について千鳥状に並んで配されている。例えば高精細化に伴って画素部ＰＸのサイズが小型であると拡張遮光部１３６による遮光機能が不十分になって輝点欠陥が多少視認されたり、逆に画素部ＰＸのサイズが大型であると拡張遮光部１３６の平面形状が視認されたりする場合がある。このような場合でも、４つの第１画素部ＰＸ１に配される４つの拡張遮光部１３６がＸ軸方向及びＹ軸方向について千鳥状に並んで配されているので、拡張遮光部１３６に起因する表示不良が視認され難くなる。
【００３８】
以上説明したように本実施形態によれば、複数の画素部ＰＸは、行方向について４つの第１画素部ＰＸ１と第２画素部ＰＸ２とが交互に繰り返し並ぶとともに、列方向について４つの第１画素部ＰＸ１及び第２画素部ＰＸ２がそれぞれ繰り返し並ぶよう配列されており、４つの第１画素部ＰＸ１に配される４つの拡張遮光部１３６は、行方向及び列方向について千鳥状に並んで配されている。例えば高精細化に伴って画素部ＰＸのサイズが小型であると拡張遮光部１３６による遮光機能が不十分になって輝点欠陥が多少視認されたり、逆に画素部ＰＸのサイズが大型であると拡張遮光部１３６の平面形状が視認されたりする場合がある。このような場合でも、４つの第１画素部ＰＸ１に配される４つの拡張遮光部１３６が行方向及び列方向について千鳥状に並んで配されているので、拡張遮光部１３６に起因する表示不良が視認され難くなる。
【００３９】
＜実施形態３＞
本発明の実施形態３を図７によって説明する。この実施形態３では、上記した実施形態１からスペーサ２３４及びアレイ基板２１１Ｂの構成を変更したものを示す。なお、上記した実施形態１と同様の構造、作用及び効果について重複する説明は省略する。
【００４０】
本実施形態に係るアレイ基板２１１Ｂには、図７に示すように、Ｚ軸方向についてＣＦ基板２１１Ａ側に向けて突出してスペーサ２３４に当接されるスペーサ当接部３７が設けられている。スペーサ当接部３７は、図示しない第２透明電極膜の上層側に追加された絶縁膜からなり、ＣＦ基板２１１Ａ側に設けられたスペーサ２３４と重畳する位置に選択的に配置されている。スペーサ当接部３７は、断面形状が略台形状をなしており、その突出先端面がスペーサ２３４の突出先端面に対して面当たりするようになっている。スペーサ当接部３７は、その表面が図示しない配向膜により覆われている。この配向膜の膜厚は、スペーサ当接部３７の突出先端面では局所的に薄くなっている。従って、スペーサ２３４がスペーサ当接部３７に当接することに起因して配向膜の削り滓が生じたとしても、その量は少なく済むので、削り滓に起因する輝点欠陥が視認され難くなる。また、本実施形態では、スペーサ２３４及びサブスペーサ２３５は、突出高さがほぼ同じとされるので、製造が容易になっている。
【００４１】
以上説明したように本実施形態によれば、スペーサ２３４は、一対の基板２１１Ａ，２１１ＢのうちのＣＦ基板２１１Ａに設けられてアレイ基板２１１Ｂ側に向けて突出しており、アレイ基板２１１Ｂには、ＣＦ基板２１１Ａ側に向けて突出してスペーサ２３４に当接されるスペーサ当接部３７が設けられている。このようにすれば、一対の基板２１１Ａ，２１１ＢのうちのＣＦ基板２１１Ａに設けられたスペーサ２３４は、アレイ基板２１１Ｂに設けられたスペーサ当接部３７に当接されることで、一対の基板２１１Ａ，２１１Ｂの間の間隔を保持する。ここで、アレイ基板２１１Ｂの表面に例えば配向膜のような薄膜を成膜した場合には、アレイ基板２１１Ｂのうちのスペーサ当接部３７の表面では、その薄膜の膜厚が局所的に薄くなる傾向にある。従って、スペーサ２３４がスペーサ当接部３７に当接することに起因して薄膜の削り滓が生じたとしても、その量は少なく済むので、削り滓に起因する輝点欠陥が視認され難くなる。
【００４２】
＜実施形態４＞
本発明の実施形態４を図８によって説明する。この実施形態４では、上記した実施形態１から画素部ＰＸの構成を変更したものを示す。なお、上記した実施形態１と同様の構造、作用及び効果について重複する説明は省略する。
【００４３】
本実施形態に係るカラーフィルタ３２３には、図８に示すように、赤色カラーフィルタ３２３Ｒ、青色カラーフィルタ３２３Ｂ及び緑色カラーフィルタ３２３Ｇに加えて、ほぼ透明な無着色部３２３Ｔが含まれている。この無着色部３２３Ｔは、全可視光を殆ど透過することができ、波長選択性を有さないものとされる。つまり、無着色部３２３Ｔは、赤色光、青色光及び緑色光などをいずれも透過することができる。そして、この無着色部３２３Ｔと対向する画素電極（図示せず）との組によって透明画素部ＴＰＸが構成されている。従って、本実施形態に係る画素部ＰＸには、赤色画素部ＲＰＸ、青色画素部ＢＰＸ及び緑色画素部ＧＰＸに加えて、特定の色味を呈さず全可視光を透過する透明画素部ＴＰＸが含まれている。これら４種類の各画素部ＲＰＸ，ＢＰＸ，ＧＰＸ，ＴＰＸのうち、赤色画素部ＲＰＸ、青色画素部ＢＰＸ及び緑色画素部ＧＰＸは、透明画素部ＴＰＸに比べると、カラーフィルタ３２３によって特定の波長領域の光以外を吸収するために透過光量が少ないことから、同等の階調であっても暗い表示となる第１画素部ＰＸ１に分類される。一方、透明画素部ＴＰＸは、赤色画素部ＲＰＸ、青色画素部ＢＰＸ及び緑色画素部ＧＰＸに比べると、カラーフィルタ３２３によって殆ど光が吸収されず透過光量が多いことから、同等の階調であっても最も明るい表示となる第２画素部ＰＸ２に分類される。第１画素部ＰＸ１は、第２画素部ＰＸ２に比べると、透過光量が少ない「少透過光画素部」である、と言える。第２画素部ＰＸ２は、第１画素部ＰＸ１に比べると、透過光量が多い「多透過光画素部」である、と言える。
【００４４】
そして、本実施形態に係るスペーサ３３４及びサブスペーサ３３５は、第１画素部ＰＸ１に含まれる赤色画素部ＲＰＸ、青色画素部ＢＰＸ及び緑色画素部ＧＰＸのうち、Ｘ軸方向について互いに隣り合う配置の赤色画素部ＲＰＸと青色画素部ＢＰＸとの間に介在するよう選択的に配置されている。従って、拡張遮光部３３６は、赤色画素部ＲＰＸ及び青色画素部ＢＰＸの内側に拡張するよう選択的に設けられており、緑色画素部ＧＰＸと第２画素部ＰＸ２である透明画素部ＴＰＸとには非配置とされている。このように、透明画素部ＴＰＸは、拡張遮光部３３６が非配置とされることで、赤色画素部ＲＰＸ及び青色画素部ＢＰＸよりも開口率が高く保たれ、それにより拡張遮光部３３６の設置に伴う輝度低下を抑制することができる。なお、緑色画素部ＧＰＸは、上記した実施形態１に記載したように、赤色画素部ＲＰＸ及び青色画素部ＢＰＸに比べると比視感度の高い緑色光を透過していて明るい表示を行うものであるから、その緑色画素部ＧＰＸに拡張遮光部３３６が非配置とされることで、拡張遮光部３３６の設置に伴う輝度低下を抑制することができる。
【００４５】
以上説明したように本実施形態によれば、第１画素部ＰＸ１は、透過光量が少ない少透過光画素部とされ、第２画素部ＰＸ２は、透過光量が多い多透過光画素部とされる。このようにすれば、第２画素部ＰＸ２である多透過光画素部は、第１画素部ＰＸ１である少透過光画素部に比べると、透過光量が多くなっているので、少透過光画素部と同等の階調であっても、少透過光画素部よりも明るい表示となる。多透過光画素部は、拡張遮光部３３６が非配置とされることで、少透過光画素部よりも開口率が高く保たれ、それにより拡張遮光部３３６の設置に伴う輝度低下を抑制することができる。
【００４６】
また、少透過光画素部には、赤色に属する波長領域の赤色光を選択的に透過する赤色画素部ＲＰＸと、青色に属する波長領域の青色光を選択的に透過する青色画素部ＢＰＸと、が含まれ、多透過光画素部には、特定の色味を呈さず全可視光を透過する透明画素部ＴＰＸが少なくとも含まれている。このようにすれば、透明画素部ＴＰＸは、赤色画素部ＲＰＸ及び青色画素部ＢＰＸに比べると、特定の波長領域に属する光を選択的に透過することがなく、全可視光を透過することで、明るい表示となる。透明画素部ＴＰＸは、拡張遮光部３３６が非配置とされることで、赤色画素部ＲＰＸ及び青色画素部ＢＰＸよりも開口率が高く保たれ、それにより拡張遮光部３３６の設置に伴う輝度低下を抑制することができる。
【００４７】
＜他の実施形態＞
本発明は上記記述及び図面によって説明した実施形態に限定されるものではなく、例えば次のような実施形態も本発明の技術的範囲に含まれる。
（１）上記した各実施形態では、スペーサ及びサブスペーサの平面形状が円形とされる場合を示したが、それ以外にもスペーサ及びサブスペーサの具体的な平面形状は適宜に変更可能である。スペーサ及びサブスペーサの平面形状は、例えば、三角形、四角形、八角形などの多角形や楕円形などであっても構わない。
（２）上記した各実施形態では、拡張遮光部がスペーサ及びサブスペーサに隣り合う画素部に選択的に配置される場合を示したが、拡張遮光部がスペーサやサブスペーサが非配置とされる画素部に配置されていても構わない。この場合、複数の拡張遮光部には、スペーサ及びサブスペーサとは隣り合わない第１画素部の内側に拡張するよう配される第３拡張遮光部が含まれることになる。この第３拡張遮光部は、第２拡張遮光部と面積が等しいのが好ましい。なお、第３拡張遮光部を設置する構成は、サブスペーサの設置数が少ない場合に有用である。
（３）上記した各実施形態では、第２拡張遮光部が第１拡張遮光部よりも面積が小さくなる場合を示したが、第１拡張遮光部と第２拡張遮光部との面積を等しくするようにしてもよい。そうすると、第１拡張遮光部が配された第１画素部と、第２拡張遮光部が配された第１画素部と、の開口率が等しくなるので、色ムラなどを抑制する上で好適となる。
（４）上記した（３）の構成を採る場合、一対の基板の貼り合わせが適切に行われれば、第１拡張遮光部が配置された第１画素部と、第２拡張遮光部が配置された第１画素部と、の開口率が等しくなるものの、一対の基板に貼り合わせずれが生じた場合には、第１拡張遮光部が配置された第１画素部と、第２拡張遮光部が配置された第１画素部と、の開口率が等しくならない場合もある。
（５）上記した各実施形態では、４つの画素部を仕切る交差部に連なる４つの拡張遮光部の面積や平面形状が同等となる場合を示したが、４つの画素部を仕切る交差部に連なる４つの拡張遮光部の面積や平面形状が異なっていても構わない。
（６）上記した各実施形態では、４つの画素部を仕切る交差部に４つの拡張遮光部が連なる場合を示したが、４つの画素部を仕切る交差部に１つ、２つまたは３つの拡張遮光部が連なる構成であっても構わない。
（７）上記した各実施形態以外にも、カラーフィルタ及び画素部におけるＸ軸方向についての並び順は適宜に変更可能である。また、カラーフィルタ及び画素部は、Ｘ軸方向について同色のものが続けて並び、Ｙ軸方向について異なる色を呈するものが繰り返し並ぶ配列であっても構わない。また、カラーフィルタ及び画素部は、Ｘ軸方向及びＹ軸方向について異なる色を呈するものが繰り返し並ぶ配列であっても構わない。
（８）上記した各実施形態以外にも、スペーサ及びサブスペーサの具体的な平面配置・配列は適宜に変更可能である。例えばスペーサ及びサブスペーサは、画素間遮光部の交差部における中心以外の位置にて交差部と重畳するよう配置されていてもよい。その場合、スペーサ及びサブスペーサは、Ｘ軸方向について隣り合う赤色画素部と青色画素部との間に介在する配置であってもよいが、Ｙ軸方向について隣り合う同色の画素部の間に介在する配置であってもよい。
（９）上記した各実施形態以外にも、画素電極や画素間遮光部の開口部分の平面形状は適宜変更可能である。
（１０）上記した実施形態３では、スペーサと重畳する位置にのみスペーサ当接部が設けられた場合を示したが、サブスペーサと重畳する位置にもスペーサ当接部を設けるようにしてもよい。その場合は、スペーサと重畳するスペーサ当接部と、サブスペーサと重畳するスペーサ当接部と、で高さを異ならせるのが好ましい。
（１１）上記した実施形態３では、スペーサ及びサブスペーサの突出高さがほぼ同じとされる場合を示したが、スペーサ及びサブスペーサの突出高さを異ならせることも可能である。
（１２）上記した実施形態４の変形例として、透明画素部に比べて透過光量が少ない緑色画素部に拡張遮光部を配置することも可能である。この場合、拡張遮光部は、透明画素部のみ選択的に非配置とされる。
（１３）上記した実施形態４では、カラーフィルタが無着色部を、画素部が透明画素部を、それぞれ含む構成を示したが、それ以外にも例えばカラーフィルタが黄色の波長領域に属する黄色光を選択的に透過する黄色カラーフィルタを、画素部が黄色を呈する黄色画素部を、それぞれ含む構成を採ることも可能である。その場合、黄色画素部は、赤色画素部及び青色画素部よりも比視感度が高い黄色光を透過することから、拡張遮光部が非配置とされるのが好ましいが、必ずしもその限りではない。また、透明画素部に加えて黄色画素部を設置することも可能である。また、黄色以外の色を呈する画素部を設置することも可能である。
（１４）上記した各実施形態では、画素間遮光部及び拡張遮光部がＣＦ基板に設けられる場合を示したが、画素間遮光部及び拡張遮光部は、アレイ基板に設けられてもよい。また、画素間遮光部及び拡張遮光部がＣＦ基板とアレイ基板とに分散配置されてもよい。
（１５）上記した各実施形態では、スペーサに加えてサブスペーサが設置される場合を示したが、サブスペーサが省略されていても構わない。
（１６）上記した各実施形態では、画素電極が相対的に上層側に、共通電極が相対的に下層側に、それぞれ配された場合を示したが、画素電極を相対的に下層側に、共通電極を相対的に上層側に、それぞれ配置することも可能である。
（１７）上記した各実施形態では、平面形状が縦長の長方形とされる液晶パネルについて示したが、平面形状が横長の長方形、正方形、円形、楕円形などとされる液晶パネルにも本発明は適用可能である。
（１８）上記した各実施形態では、ドライバが液晶パネルのアレイ基板に対してＣＯＧ実装される場合を例示したが、ドライバがフレキシブル基板に対してＣＯＦ（Chip On Film）実装される構成であってもよい。
（１９）上記した各実施形態では、ＴＦＴのチャネル部を構成する半導体膜が酸化物半導体材料からなる場合を例示したが、それ以外にも、例えばポリシリコン（多結晶化されたシリコン（多結晶シリコン）の一種であるＣＧシリコン（Continuous Grain Silicon））やアモルファスシリコンを半導体膜の材料として用いることも可能である。
（２０）上記した各実施形態では、一対の基板間に液晶層が挟持された構成とされる液晶パネルについて例示したが、一対の基板間に液晶材料以外の機能性有機分子（媒質層）を挟持した表示パネルについても本発明は適用可能である。
（２１）上記した各実施形態では、液晶パネルのスイッチング素子としてＴＦＴを用いたが、ＴＦＴ以外のスイッチング素子（例えば薄膜ダイオード（ＴＦＤ））を用いた液晶パネルにも適用可能であり、カラー表示する液晶パネル以外にも、白黒表示する液晶パネルにも適用可能である。
（２２）上記した各実施形態では、表示パネルとして液晶パネルを例示したが、他の種類の表示パネル（ＰＤＰ（プラズマディスプレイパネル）、有機ＥＬパネル、ＥＰＤ（マイクロカプセル型電気泳動方式のディスプレイパネル）、ＭＥＭＳ（Micro Electro Mechanical Systems）表示パネルなど）にも本発明は適用可能である。
【符号の説明】
【００４８】
１１…液晶パネル（表示パネル）、１１Ａ，２１１Ａ…ＣＦ基板（一対の基板、一方の基板）、１１Ｂ，２１１Ｂ…アレイ基板（一対の基板、他方の基板）、２４，１２４…画素間遮光部、２４Ａ，１２４Ａ…交差部、３４，１３４，２３４，３３４…スペーサ、３５，１３５，２３５，３３５…サブスペーサ、３６，１３６，３３６…拡張遮光部、３６Ａ…第１拡張遮光部、３６Ｂ…第２拡張遮光部、３７…スペーサ当接部、ＢＰＸ…青色画素部、Ｃ…角部、ＧＰＸ…緑色画素部、ＰＸ…画素部、ＰＸ１…第１画素部、ＰＸ２…第２画素部、ＲＰＸ…赤色画素部、ＴＰＸ…透明画素部
【図１】
2019191404.tif 000003
【図２】
2019191404.tif 000004
【図３】
2019191404.tif 000005
【図４】
2019191404.tif 000006
【図５】
2019191404.tif 000007
【図６】
2019191404.tif 000008
【図７】
2019191404.tif 000009
【図８】
2019191404.tif 000010